(57)【要約】      （修正有）【課題】無線ＬＡＮの利用を促してサービスの向上をはかり、インターネットの接続環境を国内に整備させる。【解決手段】コンビニエンスストアなどのフランチャイズ店を利用した客にはレシートやチケットが渡される。その印字された内容に無線ＬＡＮでのインターネット接続サービスを一時的に提供するため、接続認証のためのアカウントやパスワードを伴わせてサービスを提供する。ＰＯＳと無線ＬＡＮのルータを連携させて接続認証のためのアカウントやパスワードをランダムに発行させて、インターネット接続を一定時間を利用できるようなサービスおよびシステムを提供する。【選択図】図５
2012104116.tif 000002
【特許請求の範囲】
【請求項１】
無線ＬＡＮ（ローカル・エリア・ネットワーク）におけるインターネット接続のサービスであって、ＰＯＳ（販売時点情報管理：Ｐｏｉｎｔ  ｏｆ  ｓａｌｅ  ｓｙｓｔｅｍ）システムと接続していることを特徴とするインターネット接続サービスシステム。
【発明の詳細な説明】
【技術分野】
【０００１】
本発明は、無線ＬＡＮ（ローカル・エリア・ネットワーク）を用いてインターネット接続通信を実現するにあたり、ＰＯＳ（販売時点情報管理：Ｐｏｉｎｔ  ｏｆ  ｓａｌｅ  ｓｙｓｔｅｍ）システムと無線ルータおよびサーバ装置、サービス提供端末を連動した認証方式をとる接続サービスおよびシステムに関している。無線ＬＡＮにおけるインターネット接続サービスとＰＯＳシステムとの接続にはＯＳＩ（Ｏｐｅｎ  Ｓｙｓｔｅｍｓ  Ｉｎｔｅｒｃｏｎｎｅｃｔｉｏｎ）の全７層モデルを適用している。
【発明の概要】
【発明が解決しようとする課題】
【０００２】
従来、無線ＬＡＮスポットと呼ばれるエリアでは、無線ＬＡＮを利用する場合、あらかじめ利用者の登録が必要となる手間がある。接続の利用料金の引き落としに関連する銀行口座の情報を登録申請したり、クレジットカード番号を登録したりするような手間がかかる。無線ＬＡＮでのインターネット接続の通信を提供する通信事業者によってはフリーアクセスなサービスも現存しているが、通信事業者と契約するインターネット接続サービスを提供するような店舗にとってはそのことで広告収入以外の手段として運営管理費等の経費は賄えなく、店舗の利益および利潤は皆無に等しい、むしろサービスを運営することで負担となる。したがって、コンビニエンスストアなどのフランチャイズ店においては買い物客のサービスの一環としてインターネット接続を提供できれば、客に対してサービス向上の一環となる。コンビニエンスストア等のフランチャイズ店側にもインターネットと接続する通信事業者に支払うインターネット接続料金の経費を買い物金額の一部から利用客負担とすることができて、サービスの向上がはかられ、コンビニエンスストアをより良く利用できる。さらにコーヒー、カフェなどを提供する喫茶店においてこのようなサービスが現存していたが、利用客の単価が低いためか、利益率が低いことからインターネット接続サービスを提供することを嫌悪する。過去にユビキタス社会を提唱する団体や企業が国内に散在していた、しかし携帯電話の通信網を除けば、それほどにユビキタス社会とはなっていないことがあげられる、ブロードバンド契約数は日本においては、２００９年度のＩＴＵ資料（国際電気通信連合：Ｉｎｔｅｒｎａｔｉｏｎａｌ  Ｔｅｌｅｃｏｍｍｕｎｉｃａｔｉｏｎ  Ｕｎｉｏｎ）によれば日本国内では３１７１万人と人口の４分の１程度だ。これらはインターネット接続料金の負担を考慮していなく、運営や管理にまつわる経費を設計思想に取り入れていないためである。本願は無線ＬＡＮによるインターネット接続サービスという提供されうる価値に対して、利益を収益できるモデルであって対価を得られる方法である、さらには利用者の負担を集中することなく分散できている。またそのシステムについても言及している。
【発明の効果】
【０００３】
無線ＬＡＮの接続可能な範囲であって、無線ＬＡＮの利用客はＰＯＳシステムからレシートに印字された認証用のアカウントまたはパスワードをノートパソコンあるいは無線端末を使って、一定時間にそのエリアの無線ＬＡＮと接続して通信を行えて、インターネット接続を可能とするもので、一定時間が過ぎると無線ＬＡＮとは遮断する。たとえば、コンビニエンスストアの利用客向けに無線ＬＡＮ接続通信をサービスとして提供する場合、品物やサービスを購入した利用客に一時的に利用できるよう、ＰＯＳシステムから発行されるレシートに無線ＬＡＮ接続用の認証アカウントやパスワードを印字して、コンビニエンスストアの従業員は利用客にそのレシートを渡せば、利用客はそのレシートに印字された内容で、発行された時点から特定時間内に無線ＬＡＮを利用できるというもので、コンビニエンスストア側にもインターネットと接続する通信事業者（インターネット・サービス・プロバイダー：ＩＳＰ、Ｉｎｔｅｒｎｅｔ  Ｓｅｒｖｉｃｅ  Ｐｒｏｖｉｄｅｒ）に支払うインターネット接続料金の経費を利用客負担とすることができて、サービスの向上がはかられ、利用客はコンビニエンスストアをより良く利用できる。これらフランチャイズ店の利用客はＰＯＳレジスターから発行されるレシートをもとにして、認証コードを取得して、店舗付近で無線ＬＡＮアクセスによってインターネット接続通信が可能となる。利用客に対してのサービス向上につながり、店舗側も通信事業者に支払う接続料金を経費として扱える。また、利用客が認証アカウントやパスワードを入力した後に、企業の広告などホームページのトップに掲載させたり、利用客に向けてブラウジング中に広告を挿入すれば、通信事業者や無線ＬＡＮ接続通信サービスを提供する側にも利益につながる効果がある。認証コードは逐次に認証アカウントやパスワードはランダムな文字列で発行されて、その利用期限がＰＯＳシステムと連動したサーバ装置からなる認証システムで管理されているから、第三者が無線ＬＡＮ接続通信を無断で利用するようなことはできない。産業においてはチケット類の販売、鉄道やバスの公共機関の切符、コンビニエンスストアの店内やその駐車場、ハンバーガーやコーヒーを販売するファーストフード店内やその駐車場、外食産業であるファミリーレストランの店内やその駐車場、高速道路のパーキングエリア、無線ＬＡＮの接続通信機能を具備した公衆電話付近、空港のロビーや鉄道のプラットホーム、遊園地や動物園、公共の公園エリアなどでサービス用途が考えられて、産業上も、とくにシステム・エンジニア（ＳＥ）にとっては有益な業務と成り得る。
【図面の簡単な説明】
【０００４】
【図１】本発明の構成図を示します。１００は無線ＬＡＮ使用の設定情報を更新・削除するサーバ装置であり、ＵＰｎＰ（Ｕｎｉｖｅｒｓａｌ  Ｐｌｕｇ  Ａｎｄ  Ｐｌａｙ）を使用して１０２の無線ルータに対して行います。また１０２の無線ルータはＳｙｓｌｏｇ（ＩＥＴＦ：Ｉｎｔｅｒｎｅｔ  Ｅｎｇｉｎｅｅｒｉｎｇ  Ｔａｓｋ  ＦｏｒｃｅのＳｙｓｌｏｇ  Ｗｏｒｋｉｎｇ  Ｇｒｏｕｐ）のデーモンを利用して無線ＬＡＮにアクセスした利用客の利用履歴を１００のサーバ装置に転送します。１００のサーバ装置と１０２の無線ルータは有線接続されています。１０１はＰＯＳシステムの一環の店舗のサーバ装置です、１０１の店舗のサーバ装置は店舗業務を行いますから処理負荷が大きいため、無線ＬＡＮにおけるインターネット接続サービスの処理業務を１００のサーバ装置に業務を分担させています。１０３は店舗内のサービス提供端末装置です。店舗を利用する客がチケットを購入したり、公共料金を支払う手続きを行ったりする装置です。１０３のサービス提供端末装置は通常、店舗のサーバ装置に接続されています。１０４はＰＯＳシステムの一環であるＰＯＳレジスターです。ＰＯＳレジスターが発券するレシート（領収書）に１０２の無線ルータを認証する手続きに必要な認証コード（アカウントやパスワード）を印字します。ＰＯＳレジスターが認証コードの発行手続きをプログラムで行うと１０１の店舗のサーバ装置と１００のサーバ装置が連携して認証コードを生成して、１０４のＰＯＳレジスターに認証コードを渡して印字するというものです。さらに生成された認証コードは１００のサーバ装置から１０２の無線ルータに認証コードをＵＰｎＰを利用して登録しておき、２００の利用客のインターネット接続サービスに備えます。認証コードの有効期限を１００のサーバ装置が管理しており、１０２の無線ルータに更新と削除を仕掛ける仕組みです。利用客によるインターネット接続でアクセスログなどの情報は１０２の無線ルータに蓄積されますので、認証が終了した時点で、１０２の無線ルータはＳｙｓｌｏｇのデーモンで１００のサーバ装置にアクセスログ等を転送します。そして１００のサーバ装置はそのアクセスログを保存しておく仕掛けです。２００はインターネット接続のサービスを受ける客です。２０１も同様に２００の客です、２０１はＰＯＳレジスターでレシート受け取っている様子を描いています。２０２も客ですが、店舗内のサービス提供端末でチケットを購入したりする様子を描いています。３００は無線ＬＡＮを使用できるノートパソコンなどの端末です。３０１も無線ＬＡＮ環境を使える携帯端末です。３０２は無線ＬＡＮを併用している携帯電話です。３００と３０１と３０２はいづれにしてもＩＥＥＥ８０２．１１やＩＥＥＥ８０２．１５（Ｂｌｕｅｔｏｏｔｈ（登録商標））に準拠しているあるいは使用している装置です。４００はインターネットです、１０２の無線ルータと接続していてＷＡＮ接続となっている側での４００のインターネットです。
【図２】データベースのレコードおよびカラムの構成例である。インターネットに接続されるデータベースサーバの内部情報である。本発明の構成図を示します。１０３は無線ＬＡＮ使用の設定情報を更新・削除するサービス提供端末装置であり、ＵＰｎＰ（Ｕｎｉｖｅｒｓａｌ  Ｐｌｕｇ  Ａｎｄ  Ｐｌａｙ）を使用して１０２の無線ルータに対して行います。また１０２の無線ルータはＳｙｓｌｏｇ（ＩＥＴＦ：Ｉｎｔｅｒｎｅｔ  Ｅｎｇｉｎｅｅｒｉｎｇ  Ｔａｓｋ  ＦｏｒｃｅのＳｙｓｌｏｇ  Ｗｏｒｋｉｎｇ  Ｇｒｏｕｐ）のデーモンを利用して無線ＬＡＮにアクセスした利用客の利用履歴を１０３のサービス提供端末装置に転送します。１０３のサービス提供端末装置と１０２の無線ルータは有線接続されています。１０３は店舗内のサービス提供端末装置です。店舗を利用する客がチケットを購入したりする装置です。１０３のサービス提供端末装置は通常、店舗のサーバ装置に接続されています。１０３のサービス提供端末装置が発券するレシート（領収書）に１０２の無線ルータを認証する手続きに必要な認証コード（アカウントやパスワード）を印字します。１０３のサービス提供端末装置が認証コードの発行手続きをプログラムで行うと認証コードを生成して、１０３のサービス提供端末装置は認証コードを印字するというものです。さらに生成された認証コードは１０２の無線ルータに認証コードをＵＰｎＰを利用して登録しておき、利用客のインターネット接続サービスに備えます。認証コードの有効期限を１０３のサービス提供端末装置が管理しており、１０２の無線ルータに更新と削除を仕掛ける仕組みです。２００の利用客によるインターネット接続でアクセスログなどの情報は１０２の無線ルータに蓄積されますので、認証が終了した時点で、１０２の無線ルータはＳｙｓｌｏｇのデーモンで１０３のサービス提供端末装置にアクセスログ等を転送します。そして１０３のサービス提供端末装置はそのアクセスログを保存しておく仕掛けです。２００はインターネット接続のサービスを受ける客です。２０２も客ですが、店舗内のサービス提供端末でチケットを購入したりする様子を描いています。３００は無線ＬＡＮを使用できるノートパソコンなどの端末です。３０１も無線ＬＡＮ環境を使える携帯端末です。３０２は無線ＬＡＮを併用している携帯電話です。３００と３０１と３０２はいづれにしてもＩＥＥＥ８０２．１１やＩＥＥＥ８０２．１５（Ｂｌｕｅｔｏｏｔｈ（登録商標））に準拠しているあるいは使用している装置です。４００はインターネットです、１０２の無線ルータと接続していてＷＡＮ接続となっている側での４００のインターネットです。
【図３】１０２の無線ルータと接続される店舗のサーバ装置あるいは店舗内に設置されるサービス提供端末装置のシステムバス（ＰＣＩバス：Ｐｅｒｉｐｈｅｒａｌ  Ｃｏｍｐｏｎｅｎｔ  Ｉｎｔｅｒｃｏｎｎｅｃｔ  Ｂｕｓ）を中心とした構成図です。６０６のＲＴＣ（Ｒｅａｌ  Ｔｉｍｅ  Ｃｌｏｃｋ）は装置内の時計です。システムバスを中心に６０１のＣＰＵ（Ｃｅｎｔｒａｌ  Ｐｒｏｃｅｓｓｉｎｇ  Ｕｎｉｔ）や６０２のＨＤＤ（Ｈａｒｄ  Ｄｉｓｋ  Ｄｒｉｖｅ）、６０３のＭＥＭ（メモリー：Ｍｅｍｏｒｙ）、６０４のＧＰＵ（Ｇｒａｐｈｉｃｓ  Ｐｒｏｃｅｓｓｉｎｇ  Ｕｎｉｔ）が連なり、システムバスの下部には６００のＬＡＮコントローラ、ＲＴＣと６０５のＩ／Ｏ（Ｉｎｐｕｔ／Ｏｕｔｐｕｔ）がつながっています。６０５のＩ／Ｏはキーボードやマウス、レシートを印字する印刷装置と接続される基本的なデバイスを含めます。５００はＩＥＥＥ８０２．１１やＩＥＥＥ８０２．１５（Ｂｌｕｅｔｏｏｔｈ（登録商標））に準拠しているあるいは使用している電波を模倣しています。４００はインターネットで、６００のＬＡＮコントローラと５０１の有線ケーブルで１０２の無線ルータを介して接続されています。図１や図２の説明にあるように、システムバスに接続された各々のデバイスはプログラムコードやその実行過程を経てＵＰｎＰの発行や１０２の無線ルータのＳｙｓｌｏｇデーモンによる利用実績情報を受信させて６０２のＨＤＤ稼動させて記録保存しています。６０１のＣＰＵや６０３のＭＥＭのプログラムコードの詳細は記述しませんが、システムバスを使っていることは明白です。
【図４】無線ルータ内のシステムバスを中心とした構成図です。７０４のＲＴＣ（Ｒｅａｌ  Ｔｉｍｅ  Ｃｌｏｃｋ）は装置内の時計です。システムバスを中心に７００のＣＰＵ（Ｃｅｎｔｒａｌ  Ｐｒｏｃｅｓｓｉｎｇ  Ｕｎｉｔ）や７０１のＭＥＭ（メモリー：Ｍｅｍｏｒｙ）が連なり、７０２のＢＩＯＳ（Ｂａｓｉｃ  Ｉｎｐｕｔ  Ｏｕｔｐｕｔ  Ｓｙｓｔｅｍ）は、無線ルータを起動させる基本プログラムが不揮発性の記録媒体で保存されています。７０２のＢＩＯＳは利用客向けのコンテンツ表示のソースコード（ウェブ記述言語等）や各種ＴＣＰ／ＩＰの通信プログラムソケット、デーモンプログラムなどが記録されていて、無線ルータに電源が投入されることで７０１のＭＥＭにむけてロードされます。システムバスの下部には７０３のＬＡＮコントローラ、ＲＴＣと７０５のＬＡＮコントローラがつながっています。５００はＩＥＥＥ８０２．１１やＩＥＥＥ８０２．１５（Ｂｌｕｅｔｏｏｔｈ（登録商標））に準拠しているあるいは使用している電波を模倣しています。つまり、７０５のＬＡＮコントローラは利用客の無線ＬＡＮアクセスに対応しているデバイス装置です。４００はインターネットで、７０３のＬＡＮコントローラは９００の店舗のサーバ装置やサービス提供端末装置を接続します。図１や図２の説明にあるように、システムバスに接続された各々のデバイスはプログラムコードやその実行過程を経てＵＰｎＰの発行や１０２の無線ルータのＳｙｓｌｏｇデーモンによる利用実績情報を９００のサーバ装置あるいはサービス提供端末装置に送信させます。７００のＣＰＵや７０１のＭＥＭのプログラムコードの詳細は記述しませんが、システムバスを使っていることは明白です
【図５】ＰＯＳレジスターが発券するレシート（領収書）の印字例です。レシート下部に認証コード（認証アカウントと認証パスワード）が記載されています。コンビニエンスストアなどでお買い物をした時に、無線ＬＡＮによるインターネット接続サービスを受けられる仕組みです。レシートの認証コードをもとに、ワイヤレス環境が整った端末を使って無線ＬＡＮアクセスを客が行えます。ただし、無線ＬＡＮの電波が届く範囲内となります。
【図６】サービス提供端末装置が発券するレシートです。図５のレシートがＰＯＳレジスターが発券しますが、サービス提供端末装置が単独で発券します。いずれも印字例ですが、これのレシートをもとにして、ワイヤレス環境が整った端末を使って無線ＬＡＮアクセスを客が行えます。ただし、無線ＬＡＮの電波が届く範囲内となります。
【図７】ＰＯＳシステムと連動している店舗内のサービス提供端末装置によるチケットの販売で、チケットの印字例です。これも図５と図６のようにインターネット接続サービスを提供するものです。
【図８】サーバ装置あるいは無線ルータにおける内部のデータベース構造を表しています。図は一例ですが、認証コードの発行から登録および失効、削除、履歴保存までをシステムでこなすために必須な項目です。この構造図はＨＤＤに記録するレコード情報ともなり得て、管理と運営を行いやすくします。縦軸が項目で、横軸が利用客による実績情報となり得ます。このデータベース構造をもとにＳｙｓｌｏｇを形成しています。
【図９】システムのフロー図です。
【図１０】接続料金の概要をグラフにコンビニエンスストアでは接続料金を経費とすることが可能。右図はコンビニエンストアを例にした客単位の売上で、店舗が閾値を設定して、インターネット接続サービスを提供するか否かを決定する。つまり売上単価によって自動的にＰＯＳレジスターから認証コードの請求（要求）を行ったりする。
【図１１】認証コードを受け取った利用客の無線ＬＡＮアクセスによるトップページの出力例です。ブラウザの下部には広告を挿入するなどして収益をはかります。認証コードを入力して認証ボタンを利用客が押すことでインタネット接続サービスを受けられます。一定時間後には無線ルータが接続を遮断します。
【図１２】図１の構成から通信の関係を表した図です。通常、店舗のサーバはＰＯＳレジスターのジャーナルの回収や店舗商品の受発注などで計算負荷が多いため、認証コードの要求は売り上げ価格の閾値を元にしてＰＯＳレジスター側で行って、店舗のサーバからサーバ装置に向けて認証コードの要求を行います、サーバ装置は認証コードを生成して、店舗のサーバを介して、ＰＯＳレジスターに発行します。そこで、レシートに認証コードを印字します。それと同時に無線ルータに認証コードを登録更新します。更新する際にはＵＰｎＰを使ったＴＣＰ／ＩＰ通信が主体です。そのことで無線ルータはレシートを受け取った利用客にアクセスを可能にします。無線ルータに残される利用客のインターネットアクセスログ等の履歴情報は無線ルータのＳｙｓｌｏｇデーモンによってサーバ装置に転送されて、ＨＤＤ等に保存されます。ＰＯＳレジスターの売り上げ価格の閾値を発端にした認証コードのほかに、サービス提供端末では接続料金そのものを売り買いする場合も同じような仕組みです。
【図１３】図１２に説明のようにサーバ装置を介することがない単独なサービス提供を行えるものです。
【図１４】サーバ装置の処理フロー図。
【図１５】無線ルータの処理フロー図。
【先行技術文献】
【特許文献】
【０００５】
特願２０００−２９１２０９  携帯電話利用のＰＯＳの販売管理方法とＰＯＳ販売管理システム
【実施例】
【０００６】
コンビニエンスストアで買い物をした利用客が認証コードを印字したレシートを受け取って、コンビニエンスストアの駐車場の車内において業務用のノートパソコンを用いて認証コードをつかって、無線ＬＡＮでインターネットアクセスを行い、会社のサーバとアクセスを行って、業務を行うなどの実施形態が考えられる。また高速道路のパーキングエリア内で高速道路を利用している利用客が無線ＬＡＮの機能を備えたノートパソコンでインターネット接続をしようとする場合、パーキングエリアに設置されたサービス提供端末で接続料金を支払い、認証コードを印字したレシートを受け取り、パーキングエリア内で車中でインターネット接続を楽しむなどの形態が考えれる。
【符号の説明】
【０００７】
１００  サーバ装置
１０１  店舗のサーバ
１０２  無線ルータ
１０３  サービス提供端末
１０４  ＰＯＳレジスター
２００  無線ＬＡＮを利用する利用客
２０１  ＰＯＳレジスターでレシートを受け取る利用客
２０２  サービス提供端末で認証コードを購入する利用客
３００  無線ＬＡＮ機能を具備するノートパソコン
３０１  無線ＬＡＮ機能を具備する携帯端末
３０２  無線ＬＡＮ機能を具備する携帯電話
４００  ザ・インターネット
５００  ＩＥＥＥ８０２．１１あるいはＩＥＥＥ８０２．１５の電波
５０１  有線接続ケーブル
６００  ＬＡＮコントローラ
６０１  ＣＰＵ
６０２  ＨＤＤ
６０３  メモリー
６０４  ＧＰＵ
６０５  基本入出力
６０６  クロック（時計）
７００  システムバス（ＰＣＩバス）
７１０  無線ルータのＣＰＵ
７１１  無線ルータのメモリー
７１２  無線ルータのファームウェア
７１３  無線ルータのＬＡＮコントローラ
７１４  無線ルータのクロック（時計）
７１５  無線ルータの無線部分
８００  無線ルータのシステムバス
【図１】
2012104116.tif 000003
【図２】
2012104116.tif 000004
【図３】
2012104116.tif 000005
【図４】
2012104116.tif 000006
【図５】
2012104116.tif 000007
【図６】
2012104116.tif 000008
【図７】
2012104116.tif 000009
【図８】
2012104116.tif 000010
【図９】
2012104116.tif 000011
【図１０】
2012104116.tif 000012
【図１１】
2012104116.tif 000013
【図１２】
2012104116.tif 000014
【図１３】
2012104116.tif 000015
【図１４】
2012104116.tif 000016
【図１５】
2012104116.tif 000017
【手続補正書】
【提出日】平成24年3月10日(2012.3.10)
【手続補正１】
【補正対象書類名】特許請求の範囲
【補正対象項目名】全文
【補正方法】変更
【補正の内容】
【特許請求の範囲】
【請求項１】
ＰＯＳシステムと無線ルータをサーバ装置を介して接続していて、無線ルータはＰＯＳレジスターおよびサービス提供端末から要求および発行を行える接続において、無線ＬＡＮにおけるインターネット接続サービスを提供できることを特徴とするシステム。